(57)【要約】【課題】シガレットパッケージとその製造方法および製造装置【解決手段】シガレットのソフトパックの場合には、紙または同様な材料製のブランク（１０）は、その端部壁（１６）に隣接して全周囲に亘って延出する多層の曲折ストリップ（２１）を備えている。その内側層が、接着剤−接着剤のスポット（２０）−を介して外側の被覆層に接続されることを可能にするために、打ち抜きによって作られる１つの丸みのある切り欠き部（２９）が設けられており、接着剤のスポット（２０）が、前記切り欠き部（２９）の区域に配置される。そのようなパックのためのブランク（１０）を製造することによって特徴が形成される。【選択図】図１
2004517786.tif 000002
【特許請求の範囲】
【請求項１】
パック内容物を包囲する少なくとも１つのブランク（１０）を有し、紙、フィルム、カードボード等のような折り曲げ可能な包装材料から製造され、サブ区域が複層の設計を呈するパック、特に、シガレット用のパックであって、前記パックは、包装材料の折り曲げの結果として、境界部の重なりを備え、内側折り曲げタブが接着剤によって外側折り曲げタブに接続されており、前記接着剤は、１つの中間タブ内の切り欠き部（２９）を通っており、
ブランク（１０）または中間タブ内の切り欠き部（２９）は、全体に丸みが付された打ち抜き部（３０）によって区画されている点を特徴とするパック。
【請求項２】
切り欠き部（２９）は、パックの垂直方向に細長く、特に、多少とも楕円状設計をなしている点を特徴とする請求項１記載のパック。
【請求項３】
切り欠き部（２９）を形成するために、打ち抜き部（３０）によってブランク（１０）から打ち抜かれた材料片または打ち抜きセグメント（３１）は、残存接続部（３２）を介してブランク（１０）に接続されており、切り欠き部（２９）外へ折り曲げられている点を特徴とする請求項１または２記載のパック。
【請求項４】
ブランク（１０）は、側部壁（１４）、正確に言えば、Ｚ字状曲折ストリップ（２１）の内側脚部（２４）と中間脚部（２５）とを形成するために、外側ストリップ（１７）の区域に切り欠き部（２９）を有しており、前記切り欠き部（２９）は、切り欠き部（２９）の区域に位置する切断用切れ目（３４）に起因して自由な境界部の方向に開いている点を特徴とする請求項１〜３のいずれか１記載のパック。
【請求項５】
パックの内容物が、特に紙、フィルムまたはカードボード等の折り曲げ可能な材料から作られた少なくとも１つのブランク（１０）によって囲まれるパックの製造方法であって、前記ブランクは、連続材料ウエブ（３３）から切断され、少なくとも１つの複層曲折ストリップ（２１）を有し、前記ストリップは、横断方向に向けられ、および／または、材料ウエブ（３３）の方向に延出しており、曲折ストリップ（２１）の区域に少なくとも１つの切り欠き部（２９）を有しており、下記の（ａ）（ｂ）（ｃ）を特徴とする方法。
（ａ）切り欠き部（２９）は、ブランク（１０）内において、切り欠き部（２９）の位置に一致するように、打ち抜きによって連続材料ウエブ（３３）内に作られる、
（ｂ）材料ウエブ（３３）は次いで、長手方向に連続して折り曲げられて曲折ストリップ（２１）を形成する、
（ｃ）曲折ストリップ（２１）を備えるブランク（１０）は、次いで、正確に位置決めされた態様で連続材料ウエブ（３３）から切断され、パックの内容物の周囲に折り曲げられる、
【請求項６】
切り欠き部（２９）は、ブランク（１０）を切断するために、特に、
切断用切れ目（３４）が作られたとき、前記切れ目が、切り欠き部（２９）を通過して延出して、ブランクの１つの境界の方向に開いている大きさの異なるサブ切り欠き部が、この過程において形成されるように、
材料ウエブ（３３）を通る横断方向の切断用切れ目（３４）の区域に作られる点を特徴とする請求項５記載の方法。
【請求項７】
切り欠き部（２９）は、材料片または打ち抜きセグメント（３１）が、残存接続部（３２）を介してブランク（１０）に接続されるような丸みがあり、中断部を備える打ち抜き部（３０）によって形成される点を特徴とする請求項５または６記載の方法。
【請求項８】
曲折ストリップ（２１）を形成する前に、残存接続部を介してブランク（１０）に接続されている打ち抜きセグメント（３１）が折り重ねられ、切り欠き部（２９）は、それが、この過程において、ブランク（１０）、特に、ブランク（１０）の自由な横方向の境界とは反対側に位置する切り欠き部（２９）の位置と対向して接するまで、開放される点を特徴とする請求項７記載の方法。
【請求項９】
打ち抜きセグメント（３１）は、材料ウエブ（３３）の移送中に、特に、材料ウエブ（３３）の転向区域において、材料ウエブ（３３）の移送方向とは反対方向に向かって折り重ねられる点を特徴とする請求項８記載の方法。
【請求項１０】
折り曲げタブまたは打ち抜きセグメント（３１）を有する連続材料ウエブ（３３）から複数のブランクを製造する装置であって、
前記折り曲げタブまたは打ち抜きセグメント（３１）は、材料ウエブ（３３）の区域内で形成されており、そして、打ち抜きによって形成される切り欠き部（２９）の残存接続部を介してのみ材料ウエブ（３３）と接続されており、
材料ウエブ（３３）は、折り曲げタブまたは打ち抜きセグメント（３１）が、転向区域において、材料の特性に起因して、材料ウエブ（３３）に対して或る角度を指向するように、転向部材、特に、転向ローラ（３５）を越えて案内される点、および、
打ち抜きセグメント（３１）が、転向区域に設けられる折り曲げ部材、特に、固定折り曲げローラ（３６）によって、材料ウエブ（３３）に向かって折り重ねられることができる点を特徴とする装置。
【発明の詳細な説明】
【０００１】
この発明は、パック内容物を包囲する少なくとも１つのブランクを有し、紙、フィルム、カードボード等のような折り曲げ可能な包装材料から製造され、サブ区域が複層の設計を呈するパック、特に、シガレット用のパックに関し、前記パックは、包装材料の折り曲げの結果として、境界部の重なりを備え、内側折り曲げタブが接着剤によって外側折り曲げタブに接続されており、前記接着剤は、１つの中間タブ内の切り欠き部を通る。この発明はまた、パックの製造方法と前記方法を実施するための装置に関する。
【０００２】
この発明は、ＷＯ００／１０８７７号として形成されたパックを専ら取り扱う。紙等から製造される単一のブランクを有するこのパックの場合は、複層の折り曲げストリップ、すなわち、Ｚ字状に曲折されて形成されるストリップが、端部壁に隣接して設けられる。細長い直立側部壁の区域には、やはり、Ｚ字状の重なり部が存在する。知られたパックにおいて形成される１つの切り欠き部が、模範具体例においては、三角形であり、このことは、折り曲げ部の外側タブが接着剤によって内側タブに接続されることを可能にしており、前記接着剤は、中間タブにおける切り欠き区域内に配置される。
【０００３】
この発明の目的は、冒頭に言及したタイプのパックを更に開発して改良すること、特に、ＷＯ００／１０８７７号のように形成されたシガレットパックの構造と製造を改良することである。
【０００４】
この目的を達成するために、この発明のパックは、ブランクまたは中間タブにおけるフォーメーションが、全体に丸みが付される切り欠き部によって区画される点を特徴としている。
【０００５】
１つの丸い、特に細長い、例えば（多かれ少なかれ）楕円である打ち抜き部は、断裂挙動という点においては有利な１つの開口部を提供する。更には、そのような切り欠き部は、適当なパンチ工具によって容易に形成される。
【０００６】
別の特徴は、打ち抜き中に形成される素材片が、残滓として廃棄されるよりはむしろ、残滓接続部を介してブランクと連結され、折り重ねによって切り欠き部の区域から取り出される。
【０００７】
折り曲げストリップの複層を備えるパックまたはブランクを製造する特定の方法が存在している。この発明によれば、この方法は、ブランクを製造するための連続材料ウエブ中で打ち抜きを行うことによって切り欠き部が作られ、その後で、ウエブの長手方向に延出する折り曲げストリップが、引き続く切り欠き部の区域内に形成される。最後に、ブランクが材料ウエブから切断されて、切り欠き部と折り曲げストリップを備えて提供される。横断方向に向く切断部は、切断部が境界の切り欠き部の区域外へオフセットされることを信頼性高く回避するために切り欠きの区域中において好ましく作られる。
【０００８】
もしも、打ち抜かれたセグメントが残存接続部を介して材料ウエブと接続されたまま残るならば、打ち抜かれたセグメントは、特定の手法によって、すなわち、転向される材料ウエブによって直立させられるので、例えば、固定の曲折ぶざいによって折り重ねられる。
【０００９】
この発明の別の特徴は、添付図面を参照しつつ更に詳細に説明される。
【００１０】
添付図面は、必須的にＷＯ  ００／１０８７７号におけるように形成された（シガレット）パックを取り扱う。この直方体のパックは、紙または紙状材料から作られるブランク１０を有する。この直方体のパックは、大きな−表面−エリアの前部壁１１と、前部壁の反対側に配置された後部壁１２と、２つの細長い直立した側部壁１３、１４、および、底部壁１５と端部壁１６とを形成している。
【００１１】
側部壁１４は、ブランク１０の２つの重なる境界ストリップ、すなわち、（比較的幅の広い）外側ストリップ１７と、比較的幅の狭い内側ストリップ１８を有している。外側ストリップ１７と内側ストリップ１８は、正確に言えば接着剤、特定すれば、接着剤のスポット１９、２０によって互いに接続されて、側部壁１４を形成している。
【００１２】
パックまたはそのブランク１０は、全域に亘る曲折ストリップ、正確に言えばＺ字状曲折ストリップ２１を有している。これは、Ｚ字態様をなして折り曲げられたブランクストリップ２２によって形成されている。このブランクストリップは、ブランク１０の３つの層が、Ｚ字状曲折ストリップ２１の区域において互いに向き合って位置するように、中央のＺ字状曲折縁部２３にほぼ沿って、折り曲げられている。これらの３つの層は、内側タブまたは内側脚部２４によって、中間タブまたは中間脚部２５によって、および、外側タブまたは外側脚部２６によって形成されている。関連する脚部またはＺ字状曲折ストリップ２１の材料ストリップは、一方でＺ字状曲折縁部２３によって、他方において、端部壁１６に至る遷移域として折り曲げ線２７によって、および／または、外側脚部２６に至る遷移域として折り曲げ線２８によって区画される。折り曲げ線２７と折り曲げ線２８は、それぞれ、前部壁１１、後部壁１２および側部壁１３、１４の頂部である。
【００１３】
境界ストリップ、すなわち、外側ストリップ１７と内側ストリップ１８とを接続するために、接着剤のスポット１９、２０内側ストリップ１８の外側において、互いから離間配置される。頂部の接着剤のスポット２０は、Ｚ字状曲折ストリップ２１の区域に配置されており、内側ストリップ１８を外側ストリップ１７に接続することを意図している。多層構造によって出現する問題を克服するために、外側ストリップ１７は、切り欠き部２９を備えるＺ字状曲折ストリップ２１の区域に設けられる。この切り欠き部２９は、接着剤スポット２０が、内側ストリップ１８の外側脚部２６と外側ストリップ１７の外側脚部２６との間に接続部を発生するように位置決めされて、設計される。この目的で、切り欠き部２９は、中間層の区域内、すなわち、内側脚部２４の区域と、外側ストリップ１７に充当されるＺ字状曲折ストリップ２１の中間脚部２５の区域とに延出している。
【００１４】
この切り欠き部２９は、特殊な態様に設計され、配置される。図８に特に見られるように、切り欠き部２９は、その全体において、丸みが付された輪郭、すなわち対応する丸い打ち抜き部３０によって囲まれている。これは、Ｚ字状曲折ストリップ２１を横断する方向に細長い、多少とも楕円状である。
【００１５】
別の特徴は、材料片すなわち、打ち抜き部３０によって切断された打ち抜きセグメント３１が、１または複数の残存接続部３２を介して接続されたまま残る点である。切り欠き部２９を釈放、および／または、形成するために、このこの打ち抜きセグメント３１は、折り重ねられるので、切り欠き部２９に沿うブランク１０の内側と向き合って接することになる（図１０参照）。切り欠き部２９は、ブランク１０の境界、すなわち、外側ストリップ１７に位置してＺ字状曲折ストリップ２１の幅全体に亘って延出している。言い換えれば、前記切り欠き部は、Ｚ字状曲折部の内側脚部２４と中間脚部２５をカバーしている。
【００１６】
別の特徴が、ブランク１０の製造によって構成されている。ブランク１０は、連続材料ウエブ３３から切断される。先ず最初に、打ち抜き部３０が平坦な材料ウエブ３３内に、正確に言えば、製造しようとするブランク１０に関連する正確な位置に作られる。打ち抜き部３０は、好ましくは、（横断方向に向く穿孔線として図示されている）横断方向の切断用切れ目３４の区域において逐時的に毎回作られる。打ち抜き部３０は、材料ウエブ３３の中央部外に、つまり、製造しようとするＺ字状曲折ストリップ２１の区域に位置している。打ち抜きは、材料ウエブ３３の移送方向に見られるように、残存接続部３２が切り欠き部２９の後部に位置するように行われる。打ち抜き部３０は、打ち抜かれたセグメント３１が折り重ねられたとき、一致する折り曲げ線を形成するように、直線的な横断方向セクションがこの区域に形成されるような形状とされる。
【００１７】
打ち抜きに引き続いて、連続材料ウエブの移送工程において、打ち抜きセグメント３１は、切り抜き部２９の区域外へ折り曲げられる、もっと詳細に言えば、打ち抜きセグメント３１が、材料ウエブ３３と対向接触するまで折り曲げられる。この目的で、特別な折り曲げ手段が採用されており、これについては特に図７に詳しい。材料ウエブ３３は、この区域、詳しくは、この場合、転向ローラ３５の上方へほぼ鈍角をなして転向される。材料ウエブ３３は、転向ローラ３５の外形に追随するが、一方では、打ち抜きセグメント３１が、材料特性に起因して、横断方向、および／または、ほぼ接線方向に向けられる。固定折り曲げ部材、この場合は、材料ウエブ３３の上方に設けられた１つの折り曲げローラ３６が、打ち抜きセグメント３１を、移送方向とは反対の方向に自動的に折り曲げ、材料ウエブ３３の相対移動の結果として、移送方向の後方に折り重ねる。
【００１８】
材料ウエブは、それが更に移動を続ける間に、曲折ストリップ２１、すなわち、Ｚ字状曲折部が具備される。その後でブランク１０は、切断用切れ目３４によって材料ウエブ３３から分割される。切断用切れ目３４は、切り欠き部２９を偏心して通過するように設けられる（図８）。その結果として、Ｚ字状曲折ストリップ２１の区域におけるブランク１０の後側に小さなサブ切り欠き部３７が生じる。
【００１９】
ブランク１０は、次いで、パックの内容物の周囲に折り曲げられ、側部壁１４の区域に接着部が形成される。
【００２０】
現行模範具体例においては、底部壁１５の区域は、詳細には、ブランク１０の重層境界ストリップ３８に起因する二重層設計をなしている。この境界ストリップは、材料ウエブ３３の領域に、同様に、正確に言えばＺ字状曲折部として同時に設けられる。
【００２１】
符号一覧
１０…ブランク，１１…前部壁，１２…後部壁，１３…側部壁，１４…側部壁，１５…底部壁，１６…端部壁，１７…外側ストリップ，１８…内側ストリップ，１９…接着剤スポット，２０…接着剤スポット，２１…Ｚ字状曲折ストリップ，２２…ブランクストリップ，２３…Ｚ字状曲折縁部，２４…内側脚部，２５…中間脚部，２６…外側脚部，２７…折り曲げ線，２８…折り曲げ線，２９…切り欠き部，３０…打ち抜き部，３１…打ち抜きセグメント，３２…残存接続部，３３…材料ウエブ，３４…切断用切れ目，３５…転向ローラ，３６…折り曲げローラ，３７…サブ切り欠き部，３８…境界ストリップ。
【図面の簡単な説明】
【図１】
シガレットパックの斜視図。
【図２】
図１のパックの頂部、端部区域の拡大図。
【図３】
図１のパックの頂部、端部のコーナー区域を通る垂直方向断面の更なる拡大図。
【図４】
図３のＶＩ−ＶＩ断面に沿う細部の水平方向断面図。
【図５】
ブランクを製造するための材料ウエブの一部。
【図６】
図５の材料ウエブから切断されたブランク。
【図７】
図５の材料ウエブの一部の概略的側面図。
【図８】
打ち抜き部の区域における図５の材料ウエブの細部の超拡大図。
【図９】
折り曲げストリップなしの完成ブランク。
【図１０】
折り曲げストリップが一旦作られた後の図９のブランク。
【図１】
2004517786.tif 000003
【図２】
2004517786.tif 000004
【図３】
2004517786.tif 000005
【図４】
2004517786.tif 000006
【図５】
2004517786.tif 000007
【図６】
2004517786.tif 000008
【図７】
2004517786.tif 000009
【図８】
2004517786.tif 000010
【図９】
2004517786.tif 000011
【図１０】
2004517786.tif 000012
【国際公開パンフレット】
2004517786.tif 000013
2004517786.tif 000014
2004517786.tif 000015
2004517786.tif 000016
2004517786.tif 000017
2004517786.tif 000018
2004517786.tif 000019
2004517786.tif 000020
2004517786.tif 000021
2004517786.tif 000022
2004517786.tif 000023
2004517786.tif 000024
2004517786.tif 000025
2004517786.tif 000026
2004517786.tif 000027
2004517786.tif 000028
【国際調査報告】
2004517786.tif 000029
2004517786.tif 000030
2004517786.tif 000031
2004517786.tif 000032